(57)【特許請求の範囲】
【請求項１】
商品コードを入力する商品登録装置と、該商品登録装置により入力された該商品コードに基づいて取引情報を作成し、該取引情報に基づいて精算処理を行う精算装置とから構成される端末装置であって、
前記商品登録装置で登録中の取引を保留状態にする商品登録処理保留部と、
保留状態の取引を前記商品登録装置に復元する商品登録処理復元部と、
前記精算装置で精算中の取引を保留状態にする精算処理保留部と、
保留状態の取引を前記精算装置に復元する精算処理復元部とを有することを特徴とする端末装置。
【請求項２】
前記商品登録処理復元部は、前記商品登録処理保留部で保留状態にされた取引を前記商品登録装置に復元可能としたことを特徴とする請求項１記載の端末装置。
【請求項３】
前記精算処理復元部は、前記精算処理保留部で保留状態にされた取引を前記精算装置に復元することを特徴とする請求項１又は２記載の端末装置。
【請求項４】
前記商品登録処理復元部は、前記精算処理保留部で保留状態にされた取引を前記商品登録装置に復元可能としたことを特徴とする請求項１乃至３のいずれか一項記載の端末装置。
【請求項５】
前記精算処理復元部は、前記商品登録処理保留部で保留状態にされた取引を前記精算装置に復元可能としたことを特徴とする請求項１乃至４のいずれか一項記載の端末装置。
【請求項６】
商品コードを入力する商品登録装置と、該商品登録装置により入力された該商品コードを記憶する管理装置と、該商品登録端末部により入力された該商品コードを該管理装置から読み出して、該商品コードに基づいて取引情報を作成し、該取引情報に基づいて精算処理を行うとともに、該取引情報を該管理装置に記憶する精算装置とから構成される取引管理システムであって、
前記商品登録装置で登録中の取引を前記管理装置に記憶し、保留状態にする商品登録処理保留部と、
前記管理装置に記憶され、保留状態とされた取引を前記商品登録装置に復元する商品登録処理復元部と、
前記精算装置で精算中の取引を前記管理装置に記憶し、保留状態にする精算処理保留部と、
前記管理装置に記憶され、保留状態とされた取引を前記精算装置に復元する精算処理復元部とを有することを特徴とする取引管理システム。
【請求項７】
前記商品登録処理復元部は、前記商品登録処理保留部で前記管理装置に記憶され、保留状態にされた取引を前記商品登録装置に復元可能としたことを特徴とする請求項６記載の取引管理システム。
【請求項８】
前記商品登録処理復元部は、前記精算処理保留部で前記管理装置に記憶され、保留状態にされた取引を前記商品登録装置に復元可能としたことを特徴とする請求項６又は７のいずれか一項記載の取引管理システム。
【請求項９】
商品コードを入力する商品登録処理と、入力された該商品コードに基づいて取引情報を作成し、該取引情報に基づいて精算する精算処理とを並行して行う取引処理方法であって、
前記商品登録処理で商品の登録中の取引を保留させる商品登録処理保留手順と、
前記精算処理で精算中の取引を保留状態にする精算処理保留手順と、
前記保留状態中の取引を前記商品登録処理に復元する商品登録処理復元手順と、
前記保留状態中の取引を前記精算処理に復元する精算処理復元手順とを有することを特徴とする取引処理方法。
【請求項１０】
商品コードを入力する商品登録処理で商品の登録中の取引を保留させる商品登録処理保留手順と、
商品登録処理により入力された該商品コードに基づいて取引情報を作成し、該取引情報に基づいて精算する精算処理で精算中の取引を保留させる精算処理保留手順と、
前記保留中の取引を前記商品登録処理に復元する商品登録処理復元手順と、
前記保留中の取引を前記精算処理に復元する精算処理復元手順とをコンピュータに実行させるプログラム。
【発明の詳細な説明】
【０００１】
【発明の属する技術分野】
本発明は端末装置、取引管理システム、及び取引処理方法、並びにプログラムに係り、特に、取引した商品やサービスなどの取引情報を登録し、取引の管理を行うための商品登録装置、精算装置、取引管理システム、及び取引管理方法、並びにプログラムに関する。
【０００２】
近年、大規模、中規模の店舗には、流通の効率化を図るためＰＯＳ（point of sales）システムが導入されている。ＰＯＳシステムは、ネットワークを介してＰＯＳ端末装置と上位装置とを接続した構成とされている。ＰＯＳ端末装置では商品に貼付されたバーコードを読み取ることにより商品を登録し、取引毎に取引情報を作成して、上位装置に送信する。上位装置は、ＰＯＳ端末装置からの取引情報を取引ログとして管理する。
【０００３】
このとき、ＰＯＳ端末装置には、混雑時などに取引の効率を向上させるため、一つのＰＯＳ端末装置に商品の登録を行う商品登録装置と精算を行うための精算装置とを別々に設け、商品登録装置を使用して商品登録を専門に行うチェッカと精算装置を専門に行うキャッシャとの２人で会計処理を行える2人制の動作モードを備えたものがある。
【０００４】
このような２人制で処理を行う場合、いずれか一方で取引が停滞すると、効率が極端に低下することになる。例えば、取引の精算中や商品登録中に商品の追加や交換のため、顧客がその場を離れるという事態が発生した場合、顧客が戻るのを待つ必要がある。このため、精算作業及び商品登録まで停滞してしまう。このため、このような事態でも効率よく作業を行えるシステムが要求されている。
【０００５】
【従来の技術】
このため、従来、ＰＯＳ端末装置の精算装置には、効率よく取引を行うために取引の途中で商品の追加や交換のため、その場を離れる場合にその取引を一時的に保留状態にして、次の取引の精算を可能とする保留・復元機能が設けられていた。
【０００６】
２人でＰＯＳ端末装置を用いる場合、１人が商品登録装置で商品登録を行い、１人が精算装置で精算を行っており、例えば、取引の精算中に商品の追加や交換のため、顧客がその場を離れるという事態が発生した場合には、その取引を保留状態とし、次の精算を可能とする。これにより、次の取引の精算処理を行える。
【０００７】
【発明が解決しようとする課題】
しかるに、従来のＰＯＳ端末装置では、精算装置でのみ保留・復元機能が実現されているため、精算装置により先の取引の精算が行われており、商品登録装置により次の取引の購入商品の登録作業が行われているときに、保留・復元機能を実現しようとする場合、精算装置側で精算を行っている先の取引については、保留・復元機能により取引を一時停止させることはできるが、商品登録装置側で商品登録を行っている取引については、保留・復元を行うことはできなかった。
【０００８】
このため、精算装置側で先の取引の精算処理が終了しても、商品登録装置側での取引の途中で商品の追加や交換のため、次の取引の商品登録が完了していなければ、次の取引の精算処理及び次々の取引の商品登録を行うことはできず、取引のための作業が停滞してしまうなどの問題点があった。
【０００９】
本発明は上記の点に鑑みてなされたもので、購入商品登録及びその精算を効率よく行える商品登録装置、精算装置、取引管理システム、及び取引管理方法、並びにプログラムを提供することを目的とする。
【００１０】
【課題を解決するための手段】
本発明は、商品コードを入力する商品登録処理で商品の登録中の取引を保留可能とし、入力された商品コードに基づいて取引情報を作成し、取引情報に基づいて精算する精算処理で精算中の取引を保留可能とするとともに、保留状態の取引を商品登録処理に復元可能とし、保留状態の取引を精算処理に復元可能とすることを特徴とする。
【００１１】
このとき、商品登録処理中に保留された取引を商品登録処理に復元可能としたり、精算処理中に保留状態にされた取引を精算処理に復元可能としたり、また、精算処理中に保留された取引を商品登録処理に復元可能としたり、さらに、商品登録処理中に保留状態にされた取引を精算処理に復元可能としたりすることを特徴とする。
【００１２】
本発明によれば、商品登録処理から取引の保留、復元が可能となるため、商品登録中に商品の追加、交換などのために保留し、再び復元することができる。このため、保留中に次の取引の商品登録を行え、戻った時点で復元させ、再び商品登録を続行することができる。また、精算処理から取引の保留、復元が可能となるため、精算中に商品の追加、交換などのために保留し、再び復元することができる。このため、保留中に次の取引の精算を行え、戻った時点で復元させ、再び商品登録を行い、精算を続行することができる。
【００１３】
さらに、商品登録処理で保留にした取引を精算処理で復元したり、精算処理で保留した取引を商品登録処理で復元したりすることができる。このため、商品登録又は精算の作業の状況に応じて効率的に作業を行わせることができる。
【００１４】
【発明の実施の形態】
図１は本発明の一実施例のシステム構成図を示す。
【００１５】
本実施例の取引情報管理システム１は、ＰＯＳ（point of sales）システムであり、商品の在庫状況及びその売上状況などを管理するシステムであり、端末装置１１とサーバ１３とがネットワーク１２を介して通信可能な構成とされている。なお、ここで、端末装置１１は、いわゆる、ＰＯＳ端末装置である。
【００１６】
端末装置１１は、商品登録装置２１及び精算装置２２から構成される。商品登録装置２１は、商品に貼付されたバーコードから商品コードを読み取り、あるいは多項目キーボードを用いて商品コードを入力可能な構成とされている。また、本実施例の商品登録装置２１は、後で詳細に説明するが、多項目キーボードの操作により保留・復元機能の動作を制御できる構成とされている。
【００１７】
商品登録装置２１で取得された商品の明細、価格などの商品情報は、精算装置２２に供給される。精算装置２２は、商品登録装置２１から供給された商品情報に基づいて取引情報を作成する。また、精算装置２２は、作成された取引情報に基づいてレシートをプリントアウトするとともに、作成された取引情報をサーバ１３に取引ログとして登録する。
【００１８】
次に端末装置１１について詳細に説明する。
【００１９】
図２は端末装置１１の外観構成図、図３は商品登録装置２１のブロック構成図、図４は多項目キーボード３２のキーレイアウトを示す図、図５は精算装置２２のブロック構成図、図６はキーボード５２のキーレイアウトを示す図である。
【００２０】
商品登録装置２１は、二人制動作時にチェッカにより操作され、商品登録作業を行うときに用いられる。商品登録装置２１は、精算装置２２の周辺装置であり、カウンタ４０に取り付けられている。
【００２１】
商品登録装置２１は、固定式バーコードスキャナ３１、多項目キーボード３２、顧客側ディスプレイ３３、チェッカ側ディスプレイ３４、ＣＰＵ（central processing unit）３５、ＲＯＭ（read only memory）３６、ＲＡＭ（random access memory）３７、インタフェース３８を含む構成とされている。
【００２２】
固定式バーコードスキャナ３１は、レーザビームＬを出射している。固定式バーコードスキャナ３１から出射されたレーザビームＬは、商品４１に貼付されたバーコード４２をスキャンする。バーコード４２から反射されたレーザビームＬは、固定式バーコードスキャナ３１に入射する。固定式バーコードスキャナ３１は、バーコード４２で反射されたレーザビームＬから商品コードを認識する。
【００２３】
また、多項目キーボード３２は、図４に示すようなキーレイアウトを有し、主に、項目コード入力キー群Ｋ１、部門コード入力キー群Ｋ２、テンキー群Ｋ３、値引キー群Ｋ４、登録キーＫ５、クリアキーＫ６、掛け算キーＫ７、通番読出キーＫ８、二人制キーＫ９、保留キーＫ１０、復元キーＫ１１、小計キーＫ１２、合計キーＫ１３、万券キーＫ１４を含む構成とされている。
【００２４】
マニュアルで商品コードが入力可能な構成とされている。また、多目的キーボード３２には、項目コード入力キー群Ｋ１、部門コード入力キー群Ｋ２、テンキー群Ｋ３を操作することにより、商品コードを入力可能な構成とされている。
【００２５】
顧客側ディスプレイ３３は、画面を顧客側に向けて配置されており、登録商品の名称、単価、合価、小計を表示する。顧客は、顧客側ディスプレイ３３を見ることにより登録商品の名称、単価、合価、小計を認識することが可能となる。チェッカ側ディスプレイ３４は、画面がチェッカ側に向けて配置されており、登録商品の名称、単価、合価、小計を表示する。チェッカはチェッカ側ディスプレイ３４を見ることにより登録商品の名称、単価、合価、小計を認識することが可能となる。また、商品が確かに登録されたか否かを判断できる。
【００２６】
ＣＰＵ（central processing unit）３５は、ＲＯＭ（read only memory）３６に記憶されたファームウェアによって処理を行う。例えば、固定式バーコードスキャナ３１により読み取られた商品コードの精算装置２２への送信や多項目キーボード３２により入力された入力情報の精算装置２２への送信、あるいは、ディスプレイ３３、３４への表示制御、さらには、精算装置２２からのデータの受信のための処理を行う。ＲＡＭ（random access memory）３７は、ＣＰＵ３５の作業用記憶領域として用いられる。インタフェース３８は、精算装置２２とのインタフェースをとるために用いられる。
【００２７】
次に精算装置２２について詳細に説明する。
【００２８】
精算装置２２は、二人制動作時にキャッシャにより操作され、商品登録装置２１で登録された商品を精算するときの作業に用いられる。精算装置２２は、バーコードスキャナ５１、キーボード５２、ドロア５３、プリンタ５４、カードリーダ５５、表示部５６、タッチパネル５７、インタフェース５８、ＣＰＵ５９、ＲＯＭ６０、ＲＡＭ６１、回線接続部６２を含む構成とされている。
【００２９】
バーコードスキャナ５１は、レーザビームを出射し、商品４１に貼付されたバーコード４２を走査し、走査光の反射光を検出することによりバーコードパターンに応じた光を検出し、バーコードの読み取りを行う。また、キーボード５２のキー操作により、商品登録、値引、小計、通番読出など各種指示及び部門コード入力などが行える。
【００３０】
図６はキーボード５２のキー配列を示す図である。
【００３１】
キーボード５２は、登録キーＫ21、小計キーＫ22、預／合計キーＫ23、通番読出キーＫ24、二人制モード設定キーＫ25、保留キーＫ26、復元キーＫ27、値引キー群Ｋ28〜Ｋ30、万券キーＫ31、部門コード入力キー群Ｋ32、テンキー群Ｋ33を含む構成とされている。
【００３２】
登録キーＫ21は、商品を登録する処理を起動するためのキーである。小計キーＫ22は、小計の算出の指示を行うためのキーである。預／合計キーＫ23は、合計の算出、取引ログへの登録、レシートの発行を指示するためのキーである。通番読取キーＫ24は、サーバ１３に既に登録済みの取引情報を読み出し、訂正を行うための処理を起動する指示を行うためのキーである。二人制キーＫ25は、チェッカとキャッシャの二人により商品登録、精算を行う処理を起動させる指示を行うためのキーである。保留キーＫ26は、取引を保留させるための指示を行うためのキーである。復元キーＫ27は、保留された取引を復元させるための指示を行うためのキーである。値引キー群Ｋ28〜Ｋ30は、登録した商品の価格を値引きさせる指示を行うためのキーである。万券キーＫ31は万券を受け入れたときに操作されるキーである。部門コード入力キー群Ｋ32は、部門コードを入力するための複数のキーである。テンキー群Ｋ33は、テンキー及び掛け算キーなどから構成されており、例えば、同じ商品を複数登録する場合などに使用されるキーである。
【００３３】
ドロア５３には、現金が収納されており、代金支払い時に現金の入出金が可能なように引き出される。プリンタ５４は、預／合計キーＫ23の押下時に１取引分のレシートを印刷し、出力する。表示部５６は、液晶表示パネルなどから構成され、登録商品の単価、小計結果などを表示する。タッチパネル部５７は、タッチパネルから構成され、キーボード５２と同様な入力操作が可能な構成とされている。
【００３４】
インタフェース５８は、商品登録装置２１のインタフェース３８に接続されており、インタフェース５８とのインタフェースをとる。ＣＰＵ５９は、ＲＯＭ６０に記憶されたファームウェアプログラムにより動作しており、回線接続部６２からネットワーク１２を介してサーバ１３と通信を行い、後述するようなＰＬＵ処理、取引情報登録処理、取引の保留、復元のための処理などの各種処理を実行する。ＲＡＭ６１は、ＣＰＵ５９の作業用記憶領域として用いられる。回路接続部６２は、ネットワーク１２を通してサーバ１３との通信制御を行う。
【００３５】
次にサーバ１３の構成を説明する。
【００３６】
図７はサーバ１３のブロック構成図を示す。
【００３７】
サーバ１３は、回線接続部７１、ＣＰＵ７２、ＲＯＭ７３、ＲＡＭ７４、ＨＤＤ（hard disＫ drive）７５を含む構成とされている。回線接続部７１は、ネットワーク１２に接続されており、精算装置２２と通信制御を行う。ＣＰＵ７２は、ＲＯＭ７３及びＨＤＤ７５に記憶されたプログラム及びデータに基づいて処理を行う。ＨＤＤ７５は、少なくともプログラム領域８１、ＰＬＵ（price looＫ up）マスタデータベース領域８２、取引ログデータベース領域８３、保留データベース領域６４を含む構成とされている。
【００３８】
プログラム領域８１には、ＣＰＵ５２で実行するプログラムが記憶されている。ＰＬＵマスタデータベース領域８２には、商品の単価など商品に関する商品情報が記憶されている。
【００３９】
図８はＰＬＵマスタデータベース領域８２のデータ構成図を示す。
【００４０】
ＰＬＵマスタデータベース領域８２には、商品毎に少なくとも部門コードＣ１、商品コードＣ２、ＰＬＵコードＣ３、商品名Ｄ、単価Ｐがデータベース化されている。部門コードＣ１は、商品を扱う部門を識別するためのコードである。商品コードＣ２は、商品を識別するためのコードである。ＰＬＵコードＣ３は、価格を識別するためのコードである。商品名Ｄは、対応する商品の商品名である。単価Ｐは、商品の単価である。例えば、端末装置１１から商品コードＣ21によりＰＬＵマスタデータテーブル領域８２が参照されると、商品コードＣ21の部門コードＣ11、ＰＬＵコードＣ31、商品名Ｄ１及び単価Ｐ１を得ることができる。端末装置１１は、ＰＬＵマスタデータテーブル領域８２の参照結果から部門コード、ＰＬＵコード、商品名、単価を認識でき、取引情報を作成する。
【００４１】
取引ログデータベース領域８３には、精算装置２２で作成された取引情報が記憶される。
【００４２】
図９は取引ログデータベース領域８３のデータ構成図を示す。
【００４３】
取引ログデータベース領域８３は、取引毎に取引識別情報Ｄ11、商品情報Ｄ12、支払情報Ｄ13が記憶される構成とされている。取引識別情報Ｄ11は、取引を識別するための情報であり、取引通番Ｄ111、端末番号Ｄ112、取引種別Ｄ113を含む構成とされている。
【００４４】
取引通番Ｄ111は、取引ログ作成毎に順次に付与される通し番号である。取引通番Ｄ111は、レシートに記載されており、端末装置１１からこの取引通番Ｄ111を入力し、入力された取引通番Ｄ111によりサーバ１３の取引ログデータベース領域８３を索引することにより必要とする取引情報が取得される。
【００４５】
端末番号Ｄ112は、商品の精算を行った端末装置１１を識別するための番号である。取引種別Ｄ113は、例えば、通常精算取引、追加精算取引などの取引の種別を識別するための情報である。
【００４６】
商品情報Ｄ12は、商品毎の明細情報Ｄ121〜Ｄ12nから構成される。図９（Ｂ）は明細情報のデータ構成図を示す。
【００４７】
明細情報Ｄ121は、スキャンコードＣs、数量情報Ｄa、税情報Ｄb、商品名Ｄc、マニュアル値引Ｄdなどを含む構成とされている。スキャンコードＣsは、バーコードスキャナ２１でスキャンされて認識されたコードである。このスキャンコードＣsに基づいてサーバ１３のＰＬＵマスタデータベース領域８２を索引することにより対応する商品の単価を求めることができる。
【００４８】
数量情報Ｄaは、同一商品の取引数量を示す情報である。税情報Ｄbは、取引にかかる税金額を示す情報である。マニュアル値引Ｄdは、端末装置１１のキーボード５２の値引キーＫ２〜Ｋ４に応じて行われた値引額を示す情報である。
【００４９】
支払情報Ｄ13は、例えば、現金、カードなどの支払い方法に関する情報、及び、支払い方法が現金の場合にはその入金額、つり銭額などの情報、支払い方法がカードであれば、カード番号、支払い回数などの情報を含む構成とされている。
【００５０】
保留データベース領域６４には、保留された取引情報が記憶されている。
【００５１】
図１０は、保留データベース領域６４のデータ構成図を示す。
【００５２】
保留データベース領域６４は、図９に示す取引ログデータベース領域８３のデータ構成と略同じであり、取引識別情報Ｄ11、商品情報Ｄ12が記憶される。保留データベース領域６４には、それまでに登録された商品の商品情報が記憶される。
【００５３】
次に本実施例の取引管理システム１の動作を詳細に説明する。
【００５４】
まず、商品登録装置２１で保留・復元を行う場合の動作を説明する。
【００５５】
図１１は、商品登録装置２１で保留・復元を行う場合の商品登録装置の処理フローチャート、図１２は商品登録装置２１で保留・復元を行う場合の精算装置の処理フローチャート、図１３は商品登録装置２１で保留・復元を行う場合の顧客側ディスプレイ３３、チェッカ側ディスプレイ３４の画面遷移図を示す。
【００５６】
ステップＳ１−１では、商品登録装置２１によりチェッカにより商品の登録が行われている。商品の登録は、商品４１のバーコード４２を固定式バーコードスキャナ３１にかざすことにより行われる。固定式バーコードスキャナ３１によりバーコード４２が読み取られ、商品コードが認識されると、精算装置２２に登録される。精算装置２２は、ネットワーク１２を介してサーバ１３にアクセスし、ＰＬＵマスタデータベース領域８２を参照し、商品コードの単価を取得する。精算装置２２は、ＰＬＵマスタデータベース領域８２の参照結果、得られた単価などから商品情報を作成し、記憶する。このとき、商品登録装置２１に設けられたチェッカ側ディスプレイ３４には図１３（Ａ）に示すように登録した商品の名称及び合価が表示される。なお、本実施例では、２人制で会計処理を行っているため、図１３（Ａ）に示すように「二人制」の上部に「▽」が表示され、二人制で処理を行っている旨が認識可能とされている。
【００５７】
ステップＳ１−１で顧客ＣＬ１の商品登録を行っているときに、顧客ＣＬ１が商品追加、あるいは交換のために取引を保留してもらいたい旨、申し出でて、チェッカによりステップＳ１−２で多項目キーボード３２の保留キーが押下されると、ステップＳ１−３で顧客ＣＬ１の取引が保留状態とされる。ステップＳ１−３では、商品登録装置２１により登録され、精算装置２２に記憶された商品情報をネットワーク１２を介してサーバ１３の保留データベース領域６４に記憶させる。このとき、図１３（Ｂ）に示すように「保留」の上部に「▽」が表示され、保留状態の取引がある旨表示される。
【００５８】
ステップＳ１−３で顧客ＣＬ１の取引が保留状態とされることにより次に顧客ＣＬ２との取引が可能となる。ステップＳ１−４で次の顧客ＣＬ２の商品登録が、顧客ＣＬ１と同様に固定式バーコードスキャナ３１により商品４１に貼付されたバーコード４２を読み取られ、商品コードが取得されることにより行われる。取得された商品コードは、精算装置２２に供給され、精算装置２２によりサーバ１３のＰＬＵマスタデータベース領域８２を参照し、商品情報が作成される。このとき、商品登録装置２１のディスプレイ３４には、図１３（Ｃ）に示すように顧客ＣＬ２の取引の商品として登録された商品情報が表示される。なお、このとき、顧客ＣＬ１の取引が保留状態であるので、図１３（Ｃ）に示すように「保留」の表示の上部に「▽」が表示され、顧客ＣＬ１の取引が保留中である旨を認識できる。
【００５９】
顧客ＣＬ２の商品登録が終了し、ステップＳ１−５で合計キーＫ１３が押下されると、顧客ＣＬ２の商品情報に基づいて取引情報が生成され、サーバ１３に供給される。サーバ１３は、取引情報を取引ログデータベース領域８３に記憶する。
【００６０】
ここで、顧客ＣＬ１の取引を再開するには、ステップＳ１−７で復元キーＫ11を押下する。復元キーＫ11が押下されると、ステップＳ１−８でサーバ１３の保留データベース領域６４から顧客ＣＬ１の商品情報を取得し、精算装置２２に復元する。このとき、商品登録装置２１のディスプレイ３４には、図１３（Ｄ）に示すように顧客ＣＬ1の取引として登録された商品の商品情報が表示され、「保留」の上の「▽」の表示は、非表示とされる。
【００６１】
ステップＳ１−８で顧客ＣＬ１の取引が復元されると、ステップＳ１−９で追加の商品の登録が可能となる。ステップＳ1−９で登録者により追加商品などの登録が行われると、ステップＳ１−１０で登録者により小計キーＫ12が押下される。登録者は、さらに、合計キーＫ13を押下する。ステップＳ１−１１で合計キーＫ13が押下されると、登録された商品情報から取引情報が生成され、サーバ１３の取引ログデータベース領域８３に記憶される。精算装置２２は、サーバ１３の取引ログデータベース領域８３に記憶された取引情報に基づいて精算のための作業が行われる。
【００６２】
次に精算装置２１の動作を説明する。
【００６３】
精算装置２１は、ステップＳ１−６で商品登録装置２１の合計キーＫ13が押下され、顧客ＣＬ２の商品登録が終了した後、ステップＳ２−１で小計キーＫ22が押下されると、ステップＳ２−２でサーバ１３の取引ログデータベース領域８３から顧客ＣＬ２の取引情報を取得する。精算装置２１は、取得した取引情報を表示部５６に表示させる。
【００６４】
精算装置２１は、ステップＳ２−３で顧客ＣＬ２から預かった預かり金が入力され、ステップＳ２−４で合計キーＫ13が押下されると、取引情報に支払情報を付与してサーバ１３の取引ログデータベース領域８３に記憶する。また、ステップＳ２−４で合計キーＫ13が押下されると、ステップＳ２−５で顧客ＣＬ２の取引情報を印字したレシートがプリンタ５４から発行される。
【００６５】
次にステップＳ１−１１で商品登録装置２１の合計キーＫ13が押下され、顧客ＣＬ１の商品登録が終了した後、ステップＳ２−６で精算装置２２の小計キーＫ22が押下されると、ステップＳ２−７でサーバ１３の取引ログデータベース領域８３から顧客ＣＬ１の取引情報を取得する。精算装置２１は、取得した取引情報を表示部５６に表示させる。
【００６６】
精算装置２１は、ステップＳ２−７で顧客ＣＬ１から預かった預かり金が入力され、ステップＳ２−８で合計キーＫ13が押下されると、取引情報に支払情報を付与してサーバ１３の取引ログデータベース領域８３に記憶する。また、ステップＳ２−９で合計キーＫ13が押下されると、ステップＳ２−１０で顧客ＣＬ１の取引情報を印字したレシートがプリンタ５４から発行される。
【００６７】
以上により商品登録装置２１で取引が保留され、商品登録装置２１で取引が復元された場合には、通常の精算作業により精算を行える。
【００６８】
次に精算装置２２で取引が保留され、精算装置２２で取引が復元される場合の動作について説明する。
【００６９】
図１４は精算装置２２で取引が保留・復元された場合の商品登録装置２１の処理フローチャート、図１５は精算装置２２で取引が保留・復元された場合の精算装置２２の処理フローチャート、図１６、図１７は精算装置２２で取引が保留・復元された場合の精算装置２１の画面遷移図を示す。
【００７０】
まず、商品登録装置２１の処理を説明する。商品登録装置２１では、ステップＳ３−１で商品４１に貼付されたバーコード４２を固定式バーコードスキャナ３１で読み取り、顧客ＣＬ１が購入した商品の商品コードが登録される。登録された商品コードは、精算装置２２に供給される。精算装置２２は、サーバ１３のＰＬＵマスタデータベース領域８２を参照することにより商品の部門コード、単価などの商品情報を作成する。
【００７１】
ステップＳ３−２で商品登録装置２１は、小計キーＫ12が押下されると、精算装置２２で登録された商品の商品情報に基づいて取引情報を作成し、顧客ＣＬ１の商品登録を終了する。ステップＳ３−３で商品登録装置２１の合計キーＫ13が押下されると、精算装置２２は作成された取引情報をサーバ１３の取引ログデータベース領域８３に記憶する。また、商品登録装置２１の合計キーＫ13が押下されることにより、次の顧客ＣＬ２の取引が可能となる。
【００７２】
ステップＳ３−４で商品登録装置２１により次の取引の顧客ＣＬ２の商品が登録され、ステップＳ３−５で小計キーＫ12が押下されると、精算装置２２は登録された商品の商品情報に基づいて取引情報を作成する。ステップＳ３−６で商品登録装置２１の合計キーＫ13が押下されると、精算装置２２はサーバ１３の取引ログデータベース領域８３に取引情報を記憶する。
【００７３】
以上により顧客ＣＬ１、ＣＬ２の商品登録が順次に行われる。
【００７４】
次に精算装置２２の動作を説明する。
【００７５】
ステップＳ３−３で顧客ＣＬ１の商品登録が終了すると、精算装置２２の表示部５６には、図１６（Ａ）に示すような表示「チェッカ精算あり」が表示される。ステップＳ４−０１で精算装置２２の小計キーＫ21が押下されると、ステップＳ４−０２で顧客ＣＬ１の取引情報が取得され、図１６（Ｂ）に示すような顧客ＣＬ１が購入した商品の情報が表示される。
【００７６】
次にステップＳ４−１で精算装置２２の保留キーＫ25が押下されると、精算装置２２はステップＳ４−２で顧客ＣＬ１の取引情報を保留データベース領域６４に記憶し、顧客ＣＬ１の取引を保留状態にする。ステップＳ４−２で顧客ＣＬ１の取引が保留状態にされると、図１６（Ｃ）に示すように保留している取引があることを示す表示「保留」が表示される。
【００７７】
次にステップＳ４−３で精算装置２２の小計キーＫ22が押下されると、ステップＳ４−４で顧客ＣＬ２の取引情報をサーバ１３の取引ログデータベース領域８３から取得し、顧客ＣＬ２の精算を可能とする。ステップＳ４−５で図１７（Ａ）に示すように顧客ＣＬ２から預かった預かり金額が入力され、ステップＳ４−６で預／合計キーＫ23が押下されると、ステップＳ４−６で支払情報を作成し、取引情報に付与してサーバ１３の取引ログデータベース領域８３に再び記憶させる。さらに、ステップＳ４−７でレシートを発行する。
【００７８】
以上により顧客ＣＬ２の精算が終了する。
【００７９】
次にステップＳ４−８で復元キーＫ27が押下されると、ステップＳ４−９でサーバ１３の保留データベース領域６４から顧客ＣＬ１の取引情報が精算装置２２に復元される。これにより、精算装置２２の表示部５６に図１７（Ｂ）に示すように顧客ＣＬ１の取引情報が復元される。
【００８０】
ステップＳ４−９で顧客ＣＬ１の取引情報が精算装置２２に復元されることにより精算装置２２で顧客ＣＬ１の商品登録が可能となる。
【００８１】
ステップＳ４−１０で精算装置２２のバーコードスキャナ５１を用いて顧客ＣＬ１の商品が登録され、ステップＳ４−１１で小計キーＫ22が押下されると、顧客ＣＬ１との取引の小計が表示部５６に表示される。顧客ＣＬ１は表示部５６に表示された小計に従って支払いを行う。ステップＳ４−１２で顧客ＣＬ１から預かった金額を入力し、ステップＳ４−１３で預／合計キーＫ23が押下されると、顧客ＣＬ１の取引情報に支払情報が付加されてサーバ１３の取引ログデータベース領域８３に記憶される。このとき、図１７（Ｃ）に示すような画面が表示部５６に表示される。また、ステップＳ４−１４でプリンタ５４により顧客ＣＬ１との取引のレシートを発行する。
【００８２】
以上のように精算装置２２で精算中の取引を保留し、復元することができる。
【００８３】
次に商品登録装置２１で取引を保留し、精算装置２２で取引を復元する場合について説明する。
【００８４】
図１８は商品登録装置２１で取引を保留し、精算装置２２で取引を復元する場合の商品登録装置２１の処理フローチャート、図１９は商品登録装置２１で取引を保留し、精算装置２２で取引を復元する場合の精算装置２２の処理フローチャート、図２０は商品登録装置２１で取引を保留し、精算装置２２で取引を復元する場合の精算装置２２の画面遷移図を示す。
【００８５】
まず、商品登録装置２１の動作を説明する。
【００８６】
ステップＳ５−１で顧客ＣＬ１の登録が行われているとき、ステップ５−２で保留キーＫ10が押下されると、ステップＳ５−３で顧客ＣＬ１の取引が保留される。顧客ＣＬ１の購入した商品の取引情報が保留データベース領域６４に記憶される。
【００８７】
ステップＳ５−３で顧客ＣＬ１の取引が保留されると、ステップＳ５−４で次の顧客ＣＬ２の商品登録が可能となる。顧客ＣＬ２の商品登録が終了し、ステップＳ５−５で小計キーＫ12が押下され、ステップＳ５−６で合計キーＫ13が押下されると、顧客ＣＬ２の取引情報が精算装置２２に供給され、精算装置２２によりサーバ１３の取引ログデータベース領域８３に記憶される。これにより、顧客ＣＬ２が精算可能となる。
【００８８】
商品登録装置２１のステップＳ５−２、Ｓ５−３で顧客ＣＬ１の取引が保留とされると、図２０（Ａ）に示すように保留された取引があることを示す「保留」の表示が精算装置２２の表示部５６に表示される。ステップＳ６−１で精算装置２２の復元キーＫ27が押下されると、ステップＳ６−２でサーバ１３の保留データベース領域６４から顧客ＣＬ１の取引情報を取り出し、復元する。精算装置２２の表示部５６には、復元された取引情報が図２０（Ｂ）に示すように表示される。このとき、ステップＳ５−６で取引ログデータベース領域８３に次の顧客ＣＬ２の取引情報が記憶されると、精算待ちの取引が存在することを示す「メモリ」という表示が行われる。
【００８９】
ステップＳ６−２で顧客ＣＬ１の取引情報が復元することによりステップＳ６−３で精算装置２２のバーコードスキャナ５１により顧客ＣＬ１の取引情報に商品を追加することが可能となる。商品登録時には、サーバ１３のＰＬＵマスタデータベース領域８２から登録すべき商品の商品情報を取得する。ステップＳ６−４で小計キーＫ22が押下されると、顧客ＣＬ１の取引の小計が表示部５６に表示される。
【００９０】
ステップＳ６−５で顧客ＣＬ１からの預かり金が入力され、ステップＳ６−６で預／合計キーＫ23が押下されると、顧客ＣＬ１の取引情報に支払情報が付加されてサーバ１３の取引ログデータベース領域８３に記憶される。また，ステップＳ６−７でプリンタ５４から顧客ＣＬ１の取引のレシートが発行される。
【００９１】
精算装置２２はステップＳ６−８で小計キーＫ22が押下されると、ステップＳ６−９で取引ログデータベース領域８３から顧客ＣＬ２の取引情報を取得する。このとき、精算装置２２の表示部５６には図２０（Ｃ）に示すように顧客ＣＬ２の取引情報が表示される。
【００９２】
ステップＳ６−１０で顧客ＣＬ２から支払いのために預かった預かり金額が入力され、ステップＳ６−１１で預／合計キーＫ23が押下されると、支払情報が付加された取引情報が取引ログデータベース領域８３に記憶される。また、ステップＳ６−１２でプリンタ５４から顧客ＣＬ２の取引のレシートが発行される。
【００９３】
以上のように商品登録装置２１で保留された取引を精算装置２２側で復元して精算することができる。よって、商品登録装置２１で別の取引のための商品登録が行われ、精算装置２２の作業が待機状態のときなどに、商品登録装置２１で保留された取引を精算装置２２で取引することができるため、２人制における作業効率を向上させることができる。
【００９４】
次に精算装置２２で取引を保留し、保留された取引を商品登録装置２１で復元する場合の動作について説明する。
【００９５】
図２１は精算装置２２で取引を保留し、保留された取引を商品登録装置２１で復元する場合の商品登録装置２１の処理フローチャート、図２２は精算装置２２で取引を保留し、保留された取引を商品登録装置２１で復元する場合の精算装置２２の処理フローチャート、図２３は商品登録装置２１の表示部５６の画面遷移図、図２４、図２５は精算装置２２の表示部５６の画面遷移図を示す。
【００９６】
まず、商品登録装置２１の動作を説明する。
【００９７】
ステップＳ７−１で顧客ＣＬ１が購入した商品が登録されると、精算装置２２によりＰＬＵマスタデータベース領域８２が参照され、商品情報が取得される。商品登録装置２１のディスプレイ３３、３４には、図２３（Ａ）に示すように登録した商品の商品情報が表示される。ステップＳ７−２で小計キーＫ12が押下され、ステップＳ７−３で合計キーＫ13が押下されると、精算装置２２により顧客ＣＬ１の取引情報が取引ログデータベース領域８３に記憶される。このとき、顧客ＣＬ１の取引は、未精算であるので、図２３（Ｂ）に示すように未精算の取引が存在することを示す「メモリ」表示の上部に「▽」が表示される。
【００９８】
このとき、図２３（Ｃ）に示すように未精算の取引が存在することを示す「メモリ」表示の上部に表示された「▽」が消去される。ステップＳ７−３で合計キーＫ13が押下されると、次に顧客ＣＬ２の商品登録が可能となる。ステップＳ７−４で顧客ＣＬ２の商品登録が行われ、ステップＳ７−５で小計キーＫ12が押下された後、ステップＳ７−６で合計キーＫ11が押下されると、顧客ＣＬ２の取引情報が取引ログデータベース領域８３に記憶される。
【００９９】
以上により商品登録装置２１での顧客ＣＬ１の商品登録及び顧客ＣＬ２の商品登録が終了する。
【０１００】
ここで、精算装置２２の動作を説明する。
【０１０１】
ステップＳ７−３で顧客ＣＬ１の商品登録が終了した後、小計キーＫ11を押下し、顧客ＣＬ１の取引情報を取得して表示する。ステップＳ８−１で精算装置２２の保留キーＫ26が押下されると、ステップＳ８−２で顧客ＣＬ１の取引情報が保留データベース領域６４に記憶され、顧客ＣＬ１の取引が保留状態とされる。このとき、商品登録装置２１のディスプレイ３３、３４には、図２３（Ｄ）に示すように「保留」の文字の上に「▽」が表示され、保留中の取引が存在する旨認識が可能となる。また、顧客ＣＬ２の取引が支払待ちとなるので、未精算状態を示す「メモリ」の文字の上に「▽」が表示される。
【０１０２】
図２４（Ｃ）に示すように保留状態の取引が存在することを示す「保留」という文字が表示部５６に表示される。このとき、ステップＳ７−６で次の顧客ＣＬ２の取引が終了していれば、図２４（Ｃ）に示すように精算待ちの取引が存在することを示す「メモリ」という文字が表示部５６に表示される。
【０１０３】
ステップＳ８−３で小計キーＫ22が押下されると、精算装置２２はステップＳ８−４で顧客ＣＬ２の取引情報をサーバ１３の取引ログデータベース領域８３から取得する。精算装置２２は、ステップＳ８−４で顧客ＣＬ２の取引情報をサーバ１３から取得すると、顧客ＣＬ２の取引の精算を行う。
【０１０４】
ステップＳ８−５で顧客ＣＬ２から支払い金を預かり、その預かり金額が入力され、ステップＳ８−６で預／合計キーＫ23が押下されると、顧客ＣＬ２の取引情報に支払情報が付与され、取引ログデータベース領域８３に記憶される。また、ステップＳ８−７でプリンタ５４から顧客ＣＬ２の取引のレシートが発行される。
【０１０５】
ここで、図２１に戻って再び商品登録装置２１の動作を説明する。
【０１０６】
ステップＳ８−１、Ｓ８−２で顧客ＣＬ１との取引が保留された後、ステップＳ７−７で復元キーＫ11が押下されると、ステップＳ７−８で保留データベース領域６４から顧客ＣＬ１の取引情報を取得し、顧客ＣＬ１の取引情報を復元する。顧客ＣＬ１の取引情報が復元することにより精算装置２２の表示部５６には図２５（Ａ）に示すように「保留」という文字の表示が消去される。
【０１０７】
さらに、商品登録装置２１のディスプレイ３３、３４では、図２３（Ｅ）に示すように「保留」、「メモリ」の文字の上部の「▽」が消去されるとともに、「取引を復元しました」というメッセージが表示される。
【０１０８】
ステップＳ７−９で顧客ＣＬ１の商品に貼付されたバーコードが固定式バーコードスキャナにより読み取られると、図２３（Ｆ）に示すように登録した商品が表示される。ステップＳ７−１０で小計キーＫ12が押下され、ステップＳ７−１１で合計キーＫ13が押下されると、精算装置２２により顧客ＣＬ１の取引情報がサーバ１３の取引ログデータベース領域８３に記憶される。このとき、商品登録装置２１のディスプレイ３３、３４には、図２３（Ｇ）に示すように「メモリ」の文字の上部に「▽」が表示され、顧客ＣＬ１が未精算である旨を示す表示が行われる。また、精算装置２２の表示部５６には、顧客ＣＬ１の取引の精算が待機状態なるので、精算装置２２での精算待ちの取引が存在することを示す「メモリ」という文字が表示される。
【０１０９】
ここで、再び図２２に戻って精算装置２２の動作を説明する。
【０１１０】
ステップＳ８−８で小計キーＫ22が押下されると、ステップＳ８−９でサーバ１３の取引ログデータベース領域８３から顧客ＣＬ１の取引情報を取得する。取得された顧客ＣＬ１の取引情報は、精算装置２２の表示部５６に表示される。ステップＳ８−１０で顧客ＣＬ１から支払い金を預かり、その預かり金額が入力された後、ステップＳ８−１１で預／合計キーＫ23が押下されると、顧客ＣＬ１の取引情報に支払情報が付与され、取引ログデータベース領域８３に記憶される。このとき、精算装置２２の表示部５６には、図２５（Ｂ）に示すように顧客ＣＬ１の取引内容を示す画面が表示される。また、ステップＳ８−１２でプリンタ５４から顧客ＣＬ１の取引のレシートが発行される。
【０１１１】
以上が精算装置２２で保留を行い、商品登録装置２１で復元を行った場合の動作である。このとき、精算装置２２で別の取引のための精算処理が行われており、商品登録装置２１の作業が待機状態のときなどに、商品登録装置２１により追加商品などの登録を行えるので、２人制において作業効率を向上させることができる。
【０１１２】
なお、上記実施例は下記の付記を含む。
【０１１３】
（付記１）  商品コードを入力する商品登録装置と、該商品登録装置により入力された該商品コードに基づいて取引情報を作成し、該取引情報に基づいて精算処理を行う精算装置とから構成される端末装置であって、
前記商品登録装置で登録中の取引を保留状態にする商品登録処理保留部と、
保留状態の取引を前記商品登録装置に復元する商品登録処理復元部と、
前記精算装置で精算中の取引を保留状態にする精算処理保留部と、
保留状態の取引を前記精算装置に復元する精算処理復元部とを有することを特徴とする端末装置。
【０１１４】
（付記２）  前記商品登録処理復元部は、前記商品登録処理保留部で保留状態にされた取引を前記商品登録装置に復元可能としたことを特徴とする付記１記載の端末装置。
【０１１５】
（付記３）  前記精算処理復元部は、前記精算処理保留部で保留状態にされた取引を前記精算装置に復元することを特徴とする付記１又は２記載の端末装置。
【０１１６】
（付記４）  前記商品登録処理復元部は、前記精算処理保留部で保留状態にされた取引を前記商品登録装置に復元可能としたことを特徴とする付記１乃至３のいずれか一項記載の端末装置。
【０１１７】
（付記５）  前記精算処理復元部は、前記商品登録処理保留部で保留状態にされた取引を前記精算装置に復元可能としたことを特徴とする付記１乃至４のいずれか一項記載の端末装置。
【０１１８】
（付記６）  商品コードを入力する商品登録装置と、該商品登録装置により入力された該商品コードを記憶する管理装置と、該商品登録装置により入力された該商品コードを該管理装置から読み出して、該商品コードに基づいて取引情報を作成し、該取引情報に基づいて精算処理を行うとともに、該取引情報を該管理装置に記憶する精算装置とから構成される取引管理システムであって、
前記商品登録装置で登録中の取引を前記管理装置に記憶し、保留状態にする商品登録処理保留部と、
前記管理装置に記憶され、保留状態とされた取引を前記商品登録装置に復元する商品登録処理復元部と、
前記精算装置で精算中の取引を前記管理装置に記憶し、保留状態にする精算処理保留部と、
前記管理装置に記憶され、保留状態とされた取引を前記精算装置に復元する精算処理復元部とを有することを特徴とする取引管理システム。
【０１１９】
（付記７）  前記商品登録処理復元部は、前記商品登録処理保留部で前記管理装置に記憶され、保留状態にされた取引を前記商品登録装置に復元可能としたことを特徴とする付記６記載の取引管理システム。
【０１２０】
（付記８）  前記精算処理復元部は、前記精算処理保留部で前記管理装置に記憶され、保留状態にされた取引を前記精算装置に復元することを特徴とする付記６又は７記載の取引管理システム。
【０１２１】
（付記９）  前記商品登録処理復元部は、前記精算処理保留部で前記管理装置に記憶され、保留状態にされた取引を前記商品登録装置に復元可能としたことを特徴とする付記６乃至８のいずれか一項記載の取引管理システム。
【０１２２】
（付記１０）  前記精算処理復元部は、前記商品登録処理保留部で前記管理装置に記憶され、保留状態にされた取引を前記精算装置に復元することを特徴とする付記６乃至９のいずれか一項記載の取引管理システム。
【０１２３】
（付記１１）  商品コードを入力する商品登録処理と、入力された該商品コードに基づいて取引情報を作成し、該取引情報に基づいて精算する精算処理とを並行して行う取引処理方法であって、
前記商品登録処理で商品の登録中の取引を保留させる商品登録処理保留手順と、
前記精算処理で精算中の取引を保留状態にする精算処理保留手順と、
前記保留状態中の取引を前記商品登録処理に復元する商品登録処理復元手順と、
前記保留状態中の取引を前記精算処理に復元する精算処理復元手順とを有することを特徴とする取引処理方法。
【０１２４】
（付記１２）  前記商品登録処理復元手順は、前記商品登録処理保留手順で保留された取引を前記商品登録処理に復元可能としたことを特徴とする付記１１記載の取引処理方法。
【０１２５】
（付記１３）  前記精算処理復元手順は、前記精算処理保留手順で保留状態にされた取引を前記精算処理に復元可能としたことを特徴とする付記１１又は１２記載の取引処理方法。
【０１２６】
（付記１４）  前記商品登録処理復元手順は、前記精算処理保留手順で保留された取引を前記商品登録処理に復元可能としたことを特徴とする付記１１乃至１３のいずれか一項記載の取引処理方法。
【０１２７】
（付記１５）  前記精算処理復元手順は、前記商品登録処理保留手順で保留状態にされた取引を前記精算処理に復元可能としたことを特徴とする付記１１乃至１４のいずれか一項記載の取引処理方法。
【０１２８】
（付記１６）  商品コードを入力する商品登録処理で商品の登録中の取引を保留させる商品登録処理保留手順と、
商品登録処理により入力された該商品コードに基づいて取引情報を作成し、該取引情報に基づいて精算する精算処理で精算中の取引を保留させる精算処理保留手順と、
前記保留中の取引を前記商品登録処理に復元する商品登録処理復元手順と、
前記保留中の取引を前記精算処理に復元する精算処理復元手順とをコンピュータに実行させるプログラム。
【０１２９】
（付記１７）  前記商品登録処理復元手順は、前記商品登録処理保留手順で保留された取引を前記商品登録処理に復元可能としたことを特徴とする付記１６記載のプログラム。
【０１３０】
（付記１８）  前記精算処理復元手順は、前記精算処理保留手順で保留状態にされた取引を前記精算処理に復元可能としたことを特徴とする付記１６又は１７記載のプログラム。
【０１３１】
（付記１９）  前記商品登録処理復元手順は、前記精算処理保留手順で保留された取引を前記商品登録処理に復元可能としたことを特徴とする付記１６乃至１８のいずれか一項記載のプログラム。
【０１３２】
（付記２０）  前記精算処理復元手順は、前記商品登録処理保留手順で保留状態にされた取引を前記精算処理に復元可能としたことを特徴とする付記１６乃至１９のいずれか一項記載のプログラム。
【０１３３】
【発明の効果】
上述の如く、本発明によれば、商品登録処理から取引の保留、復元が可能であるため、商品登録中に商品の追加、交換などのために保留し、再び復元することができ、よって、保留中に次の取引の商品登録を行え、戻った時点で復元させ、再び商品登録を続行することができるため、精算作業の妨げになることなく保留、復元を行える等の特長を有する。
【０１３４】
また、本発明によれば、精算処理から取引の保留、復元が可能となるため、精算中に商品の追加、交換などのために保留し、再び復元することができ、よって、保留中に次の取引の精算を行え、戻った時点で復元させ、再び商品登録を行い、精算を続行することができるため、商品登録作業を妨げることなく保留、復元を行えるなどの特長を有する。
【０１３５】
さらに、本発明によれば、商品登録処理で保留にした取引を精算処理で復元したり、精算処理で保留した取引を商品登録処理で復元したりすることができるため、商品登録又は精算の作業の状況に応じて効率的に作業を行わせることができる等の特長を有する。
【図面の簡単な説明】
【図１】本発明の一実施例のシステム構成図である。
【図２】端末装置１１の外観構成図である。
【図３】商品登録装置２１のブロック構成図である。
【図４】多目的キーボード３２のキーレイアウトを示す図である。
【図５】精算装置２２のブロック構成図である。
【図６】キーボード５２のキーレイアウトを示す図である。
【図７】サーバ１３のブロック構成図である。
【図８】ＰＬＵマスタデータベース領域８２のデータ構成図である。
【図９】取引ログデータベース領域８３のデータ構成図である。
【図１０】保留データベース領域６４のデータ構成図である。
【図１１】商品登録装置２１で保留・復元を行う場合の商品登録装置の処理フローチャートである。
【図１２】商品登録装置２１で保留・復元を行う場合の精算装置の処理フローチャートである。
【図１３】商品登録装置２１で保留・復元を行う場合のディスプレイ３４の画面遷移図である。
【図１４】精算装置２２で取引が保留・復元された場合の商品登録装置２１の処理フローチャートである。
【図１５】精算装置２２で取引が保留・復元された場合の精算装置２２の処理フローチャートである。
【図１６】精算装置２２で取引が保留・復元された場合の精算装置２１の画面遷移図（その１）である。
【図１７】精算装置２２で取引が保留・復元された場合の精算装置２１の画面遷移図（その２）である。
【図１８】商品登録装置２１で取引を保留し、精算装置２２で取引を復元する場合の商品登録装置２１の処理フローチャートである。
【図１９】商品登録装置２１で取引を保留し、精算装置２２で取引を復元する場合の精算装置２２の処理フローチャートである。
【図２０】商品登録装置２１で取引を保留し、精算装置２２で取引を復元する場合の精算装置２２の画面遷移図である。
【図２１】精算装置２２で取引を保留し、保留された取引を商品登録装置２１で復元する場合の商品登録装置２１の処理フローチャートである。
【図２２】精算装置２２で取引を保留し、保留された取引を商品登録装置２１で復元する場合の精算装置２２の処理フローチャートである。
【図２３】商品登録装置２１の表示部５６の画面遷移図である。
【図２４】精算装置２２のディスプレイの画面遷移図（その１）である。
【図２５】精算装置２２のディスプレイの画面遷移図（その２）である。
【符号の説明】
１  取引情報管理システム
１１  端末装置
１２  ネットワーク
１３  サーバ
２１  商品登録装置
２２  精算装置
３１  固定式バーコードスキャナ
３２  多項目キーボード
３３、３４  ディスプレイ
３５、５９、７２  ＣＰＵ
３６、６０、７３  ＲＯＭ
３７、６１、７４  ＲＡＭ
３８、５８  インタフェース
４１  商品
４２  バーコード
５１  バーコードスキャナ
５２  キーボード
５３  ドロア
５４  プリンタ
５５  カードリーダ
５６  表示部
５７  タッチパネル部
６２、７１  回線接続部
８１  プログラム領域
８２  ＰＬＵマスタデータベース領域８２
８３  取引ログデータベース領域
８４  保留データベース領域
【図１】
0003860448.tif 000002
【図２】
0003860448.tif 000003
【図３】
0003860448.tif 000004
【図４】
0003860448.tif 000005
【図５】
0003860448.tif 000006
【図６】
0003860448.tif 000007
【図７】
0003860448.tif 000008
【図８】
0003860448.tif 000009
【図９】
0003860448.tif 000010
【図１０】
0003860448.tif 000011
【図１１】
0003860448.tif 000012
【図１２】
0003860448.tif 000013
【図１３】
0003860448.tif 000014
【図１４】
0003860448.tif 000015
【図１５】
0003860448.tif 000016
【図１６】
0003860448.tif 000017
【図１７】
0003860448.tif 000018
【図１８】
0003860448.tif 000019
【図１９】
0003860448.tif 000020
【図２０】
0003860448.tif 000021
【図２１】
0003860448.tif 000022
【図２２】
0003860448.tif 000023
【図２３】
0003860448.tif 000024
【図２４】
0003860448.tif 000025
【図２５】
0003860448.tif 000026